(57)【要約】【課題】接着層１を貼付した防水フィルターを電子機器の筐体に装着する際に、接着層１が段差部１３に乗り上げにくい構造を提供することを目的とする。【解決手段】通音孔１２を有する筐体１１と、枠状に形成された接着層１と、接着層１を介して通音孔１２を覆うように装着された防水フィルターとを有し、筐体１１には、防水フィルターを係合させる段差部１３、又は、防水フィルターの装着部位を示す目印となる段差部１３が形成され、枠状接着層１の外周部は防水フィルターの外周部よりも内側となるように構成する。【選択図】図１
2010004397.tif 000002
【特許請求の範囲】
【請求項１】
通音孔を有する筐体と、枠状に形成された接着層と、該接着層を介して前記通音孔を覆うように装着された防水フィルターとを有し、前記筐体には、前記防水フィルターを係合させる段差部、又は、前記防水フィルターの装着部位を示す目印となる段差部が形成され、前記枠状接着層の外周部は前記防水フィルターの外周部よりも内側となるように構成されていることを特徴とする音響部品。
【請求項２】
前記防水フィルターは、フッ素樹脂で構成される防水膜を含むものである請求項１に記載の音響部品。
【請求項３】
前記フッ素樹脂が多孔質ポリテトラフルオロエチレンである請求項２に記載の音響部品。
【請求項４】
前記防水フィルターは、前記防水膜に枠体が取り付けられて構成されるものである請求項２または３に記載の音響部品。
【請求項５】
前記防水膜の外周部は、前記枠体の外周部よりも内側となるように構成されている請求項４に記載の音響部品。
【請求項６】
前記防水膜の外周部は、前記接着層側を谷として折り曲げられている請求項２〜５のいずれかに記載の音響部品。
【請求項７】
前記防水膜の表面に撥液剤を添加した請求項２〜６のいずれかに記載の音響部品。
【請求項８】
前記接着層が両面粘着テープである請求項１〜７のいずれかに記載の音響部品。
【請求項９】
剥離シート上に接着層を枠状に形成し、該接着層を防水フィルターで覆い、前記枠状接着層の外周部よりも外側で前記防水フィルターを裁断し、前記剥離シートを前記接着層から取り外し、前記防水フィルターの前記接着層側を、通音孔を有する筐体に装着することを特徴とする音響部品の製造方法。
【請求項１０】
剥離シート上に接着層を枠状に形成し、該枠状の接着層よりも大きく形成した防水フィルターにより、枠状接着層を覆い、前記剥離シートを前記接着層から取り外し、前記防水フィルターの前記接着層側を、通音孔を有する筐体に装着することを特徴とする音響部品の製造方法。
【発明の詳細な説明】
【技術分野】
【０００１】
本発明は、防水性や防塵性が必要な電子機器、特に音響機能を有する電子機器に用いられる防水フィルターを備えた音響部品、及びその製造方法に関するものである。
【背景技術】
【０００２】
スピーカー、マイクロフォン、レシーバー等の電気音響変換装置を装備する携帯電話、小型ラジオ、トランシーバー、携帯音楽再生機、ノートパソコン、ヘッドホン、イヤホン、屋外マイク、デジタルカメラ等の電子機器の筐体には、音を筐体内部から外部へ、外部から内部へ通過させるための通音孔が設けられている。この通音孔には、電子機器内部への水の侵入防止を主目的とした防水フィルター（防水膜）が取り付けられている。
【０００３】
防水膜の構成例として、特許文献１には、筐体の音響用の小孔を包囲するように形成した内部環状突部に受話器，送話器，ブザー等の電気音響変換装置を装着した移動通信用端末機に於いて、小孔と音響部品との間に防水紙を配置し、その防水紙の周辺部のみを、内部環状突部と環状介在物との間に固着し、この環状介在物に電気音響変換装置を装着して、電気音響変換装置の内部に第１の前気室、音響部品と防水紙との間に第２の前気室、防水紙と筐体との間に第３の前気室を形成した構成が記載されている。
【０００４】
防水膜の他の構成例として、特許文献２には、マイクロフォン本体を収納するマイクロフォン収納体の端面に、凹部を設けた構成が記載されている。ケースのマイクロフォン取付け部に開口部が設けられている。開口部の周囲に位置して、マイクロフォン収納体を挿入固定する保持枠が突設されている。保持枠の内側で、かつ、開口部の周囲に位置して、マイクロフォン収納体の凹部に嵌合する環状の突部が突設されている。
【０００５】
上記のような音響用途に用いられる防水膜は、音を高い効率で通過させる必要があるため、振動可能な状態を保ちながら固定されていなければならない。すなわち、防水膜の固定は、できるだけ防水膜の周辺部に限定されることが望まれる。その例として、特許文献３には、開口部を有する２枚の接着支持システム（両面粘着テープ等）によって、保護メンブラン（防水膜）を挟持した構造が記載されている。このような構造により、上流側の音圧波が保護メンブランを振動させ、この振動による保護メンブランの固体伝播エネルギー（機械的な振動）を、下流側の音圧波に変換させ、その結果、音響損失／減衰を低くしている。
【０００６】
防水膜は、携帯電話等の電子機器の筐体の通音孔に取り付けられるが、携帯電話等の電子機器は、ますます小型化・薄型化されており、これに伴い、防水膜の小型化・取り付け位置の高精度化が要求されている。
【０００７】
防水膜や、電気音響変換装置の位置決め精度を上げるためには、電子機器の筐体に、防水膜や電気音響変換装置を案内（ガイド）するような段差部を形成することが考えられる（例えば特許文献４）。なお、このような段差部は、防水膜に必ずしも完全に勘合するものではなく、特許文献４の図４のように、有る程度の遊びをもって形成される場合もある。そのような場合には、段差部は防水膜の位置決めに必ずしも直接的な寄与をしないこともあるが、防水膜の装着部位を示す目印としても有用である。
【特許文献１】特開平７−１３１３７５号公報（図１，図２）
【特許文献２】特開平５−２１９１６３号公報（図１）
【特許文献３】特表２００３−５０３９９１号公報（段落００２５，図４，図８）
【特許文献４】特開平８−７９８６５号公報（段落００１８、図４）
【発明の開示】
【発明が解決しようとする課題】
【０００８】
しかしながら、筐体に上記段差部を設けても、小型化された防水膜の取り付け作業は、実際上は簡単ではない。図１０及び図１１は、特許文献３の図４に記載されたような防水フィルター（構成要素として少なくとも防水膜を含むもの）を例にとって、筐体に貼付された状態の防水フィルターの断面を示すものである。
【０００９】
図１０及び図１１において、符号１及び３は接着層、符号２は防水膜、１１は筐体、１２は通音孔、１３は段差部を示す。図１０は、防水膜２がうまく装着された場合を示すものである。図１１は、接着層１，３が形成された状態の防水フィルター（防水膜２）を筐体１１に装着する際に、若干位置ずれがあったために、接着層１の一部が段差部１３に乗り上げてしまった例を示すものである。
【００１０】
接着層１が段差部１３に乗り上げてしまうと、これを取り外して再度取り付け直す作業は非常に困難である。何故ならば、一旦段差部１３に粘着してしまった接着層１は簡単には剥がれないし、強く剥がそうとすると薄い防水膜２を破損してしまう畏れがあるからである。もし、接着層１が段差部１３に乗り上げたことに気付かずに携帯電話をそのまま完成させてしまった場合には、上記の乗り上げ部分から漏水を起こしてしまう可能性もある。
【００１１】
上記のような課題は、防水フィルターの取り付け工程が手作業であっても、自動化されていても基本的に同じであるが、携帯電話のように頻繁に品種が変わる電子機器では手作業で行う場合も多く、作業者の負担は大きい。接着層１が作業者側からは視認できないことも一因している。
【００１２】
上述の事情に鑑み、本発明は、接着層を備えた防水フィルターを係合等させる段差部を有する音響部品において、防水フィルターの装着時に、接着層が段差部に乗り上げにくい構造を提供することを目的としている。
【課題を解決するための手段】
【００１３】
上記目的を達成し得た本発明の音響部品は、
通音孔を有する筐体と、枠状に形成された接着層と、該接着層を介して通音孔を覆うように装着された防水フィルターとを有し、筐体には、防水フィルターを係合させる段差部、又は、防水フィルターの装着部位を示す目印となる段差部が形成され、枠状接着層の外周部は防水フィルターの外周部よりも内側となるように構成されたものである。
【００１４】
上記防水フィルターは、フッ素樹脂膜で構成される防水膜を含む態様とすることが好ましい。
【００１５】
上記フッ素樹脂膜が多孔質ポリテトラフルオロエチレン膜で構成されている態様とすることが推奨される。
【００１６】
上記防水フィルターは、防水膜に枠体を取り付けて構成してもよい。
【００１７】
上記防水膜の外周部は、接着層側を谷として折り曲げられている態様が好ましい。
【００１８】
上記防水膜の表面に撥液剤を添加する態様とすることが好ましい。
【００１９】
上記接着層が両面粘着テープである構成とすることができる。
【００２０】
上記目的を達成し得た本発明の音響部品の製造方法は、
剥離シート上に接着層を枠状に形成し、該接着層を防水フィルターで覆い、枠状接着層の外周部よりも外側で防水フィルターを裁断し、剥離シートを接着層から取り外し、防水フィルターの接着層側を、通音孔を有する筐体に装着するものである。
【００２１】
上記目的を達成し得た本発明の他の音響部品の製造方法は、
剥離シート上に接着層を枠状に形成し、該枠状の接着層よりも大きく形成した防水フィルターにより、枠状接着層を覆い、剥離シートを接着層から取り外し、防水フィルターの接着層側を、通音孔を有する筐体に装着するものである。
【発明の効果】
【００２２】
本発明の音響部品及びその製造方法によれば、接着層を備えた防水フィルターを係合等させる段差部を有する音響部品において、防水フィルターの装着時に接着層が段差部に乗り上げにくい構造を提供することができる。これにより、防水フィルターの装着工程の効率が高まるとともに、音響部品の漏水等の不良率を低減することが可能となる。
【発明を実施するための最良の形態】
【００２３】
以下、本発明の実施の形態における音響部品及びその製造方法について、図面を参照しながら詳細に説明する。
【００２４】
図１は、本発明の実施の形態における音響部品の断面図であって、防水フィルターを筐体に装着する直前の状態を示している。図１において、図面に向かって左側に表したものは、電子機器等の外装ケースである筐体１１である。筐体１１には、音を通過させるための孔、すなわち、通音孔１２が複数形成されている。通音孔１２は、一つに限らず、複数であってもよい。また、筐体１１には、後述の防水フィルターを係合させ、或いは、防水フィルターの装着部位を示す目印とする段差部１３が形成されている。
【００２５】
図１において、図面に向かって右側に表したものは、接着層を介して通音孔１２を覆うように装着される防水フィルターである。より詳しく説明すると、筐体１１に面する側から順に、接着層１、防水膜２、接着層３、枠体４、接着層５がこの順に積層されている。なお、本発明で「防水フィルター」とは、防水機能を有する部材を意味し、本実施の形態では防水膜２に相当するが、後に説明する枠体４等、防水膜２に付随して粘着される部品が存在する場合には、この部品を含めて防水フィルターという。なお、図１では接着層５を説明するために接着層５が存在する例を示したが、接着層５は、防水フィルターと後掲のスピーカーの筐体２１とを一体的に貼り合せた状態で筐体１１に装着する場合等、必要に応じて使用されるものであり、後掲の図８にも示すように、接着層５は使用されない場合もある。
【００２６】
接着層１、３、接着層５は、枠状に形成され、各々の開口は音を通過する役割を果たす。また、防水膜２が接着層１或いは接着層３により固定される部分の面積が小さい程、防水膜２の振動可能な面積が広く、音の通過効率が良い。
【００２７】
枠体４は、スピーカーやマイクロフォン等の電気音響変換装置（後掲）と防水膜２との間にスペーサーとして介在させるものである。枠体４（スペーサー）は、防水膜２が電気音響変換装置と接触することによるビリつき音を防止する作用、或いは、防水膜２が電気音響変換装置と間に空間を形成することにより音響特性が向上する作用がある。したがって、枠体４は使用することが好ましい部品である。
【００２８】
また、枠体４は、接着層３を介して防水膜２に接着されることにより、比較的柔軟な防水膜２を支持する役割も果たす。なお、図１に示すように、防水膜２、接着層３、枠体４の端部が揃っていると、接着層３が段差部１３に付着しにくい。なお、後掲の図４（ａ）に示すように、接着層３の外周部が防水膜２の外周部、又は枠体４の外周部よりも内側となるように構成すれば、さらに接着層３は段差部１３に付着しにくい。
【００２９】
図１に示すように、防水フィルターを筐体１１に装着する際に、多少の位置ずれがあっても、防水フィルターの外周部が段差部１３に係合するため、防水フィルターは通音孔１２を覆うように筐体１１の所定の位置に着地し、接着層１の働きにより接着される。
【００３０】
防水フィルターは、段差部１３に係合している。すなわち、防水フィルターは段差部１３に必ずしも完全に勘合していなくてもよく、有る程度の遊びをもって形成される場合もある。さらに、段差部１３は防水フィルターを案内する役割を果たしていないこともあるが、その場合でも、段差部１３は防水フィルターの装着部位を示す目印として有用である。
【００３１】
また、枠体４を用いる場合であって防水膜２の外径が枠体４の外径よりも小さい場合、防水膜２は段差部１３に勘合しないが、枠体４が段差部１３に勘合する場合もあり得る。
【００３２】
本発明の最大の特徴として、枠状の接着層１の外周部は防水フィルターの外周部よりも内側となるように構成されているため、防水フィルターの装着時に多少の位置ずれがあっても、接着層１が段差部１３に付着する確率が従来よりも低い。そのため、作業者が誤って段差部１３に接着層１を乗り上げた状態で粘着してしまうことが少なく、防水フィルターの装着効率が格段に向上する。また、防水信頼性の高い音響部品を提供することができる。なお、防水膜２と枠体４の大きさが異なる等して、防水膜２の外周部と枠体４の外周部の位置が異なる場合は、最外周部が防水フィルターの外周部である。
【００３３】
防水フィルターの外周部と接着層１の外周部との間隔は、０．１ｍｍ以上あることが好ましい。下限を０．１ｍｍとしたのは、当該間隔が０．１ｍｍ未満であると、段差部１３への乗り上げ防止効果が実質的に発揮されないからである。より好ましくは０．２ｍｍ以上、更に好ましくは０．３ｍｍ以上である。防水フィルターの装着作業が手作業により行われる場合は、好ましくは０．５ｍｍ以上、より好ましくは０．７ｍｍ以上、更に好ましくは１．０ｍｍ以上である。
【００３４】
一方、防水フィルターの外周部と接着層１の外周部との間隔の上限については特に制限はないが、防水フィルターの小型化が求められる中では実質的な上限はある。防水フィルターが仮に円形であり、その直径が１０ｍｍ〜２０ｍｍ程度であるという前提を置けば、上記間隔の上限は、例えば１ｍｍ以下、より好ましくは０．５ｍｍ以下である。防水フィルターの外周部と接着層１の外周部との間隔が大きすぎる場合、すなわち、接着層１の外径があまりに小さ過ぎる場合は、筐体１１と防水フィルターの接着面積が小さくなり防水信頼性が低下する懸念があるからである。なお、上記の接着面積が小さくなるのは、接着層１の内径は、筐体１１の通音孔１２の大きさや位置に実質的に制約を受けるためである。
【００３５】
図２は、本実施の形態に係る音響部品の使用例を示すものであり、音響部品に電気音響変換装置の一例である携帯電話用のスピーカー（着信音等の通知音を発する音波発生装置）を貼付した状態を示す断面図である。図２において、スピーカーの筐体２１内には、支持体２２に支持された振動体２３が設けられている。振動体２３から発せられる音波は、筐体２１から放出され、防水膜２、通音孔１２を経由して携帯電話の外部へと伝搬していく。
【００３６】
本実施の形態においては、筐体１１に防水フィルターを貼付した後に、防水フィルターに電気音響変換装置を貼付する順序で説明したが、この順序に限定されるものではなく、電気音響変換装置に先に防水フィルターを貼付し、後に筐体１１に貼付する順序も、同様に実施可能である。
【００３７】
図３は、図２に示した音響部品において、段差部１３の形状に変更を加えた例を示すものである。図２に示した音響部品では、段差部１３は、防水フィルターの周囲を囲う突起物（凸状物）により形成されているが、この様な形態に限られず、図３に示すように、単に１段のステップが存在しているだけでも同様に実施可能である。
【００３８】
図４から図６はそれぞれ、枠体４を使用する場合の防水フィルターのバリエーションを示したものである。図４（ａ）に示すように、接着層３の外周部は防水膜２の外周部よりも内側となるように構成されていてもよい。防水膜２及び枠体４の端部は、段差部１３により案内（ガイド）されるが、その際に接着層３の側面が段差部１３の壁面に付着してしまうことを防止できるからである。
【００３９】
また、図４（ｂ）に示すように、接着層１と防水膜２が同じ大きさになる場合もある。防水フィルターの製造効率を高めるために、接着層１と防水膜２を同時に打ち抜くような場合にはこの形状となる。
【００４０】
なお、図４（ｂ）の構成をとる場合には、接着層３の下面が防水膜２に覆われない部分が存在することになる。そうすると、防水フィルターを筐体１１に装着する際、接着層３の下面が段差部１３に誤って接触することにより、接着層１の場合と同様に、防水フィルターの位置ずれの懸念、装着効率の低下の懸念があるが、接着層３の接着強度を接着層１の接着強度よりも低くしておくことにより解消できる。接着層３の接着強度が低くてもよいのは、接着層１には外部からの水分の侵入を妨げる程度の強力で確実な接着力が必要とされるが、接着層３は、枠体４が防水膜２から剥がれない程度の接着強度を有していれば十分であるからである。
【００４１】
図５では、防水膜２の端部のみ突出した形態である。防水膜２の強度が低い場合であっても、防水膜２の片面または両面に熱可塑性樹脂製ネットのような補強材を設けることにより、本形態を実施可能であり、接着層１，３，５の影響なく防水フィルターを筐体１１に接着させることができる。
【００４２】
図６は、図５における防水フィルターに更に改良を加えたものであり、防水膜２の外周部は、接着層１側を谷として折り曲げられている。この形態では、接着層１の側面が防水膜２によりカバーされているため、接着層１が段差部１３の壁面に付着してしまうことを、より確実に防止することができる。また、防水膜２が多孔質ポリテトラフルオロエチレンのように収縮し易い材料で構成されている場合は、図６に示すような構成を採用することにより、防水膜２の曲げ部分が引っ掛かりとなり、防水膜２の収縮の予防にもなるし、接着層１の露出を防止することもできる。
【００４３】
次に、本実施の形態に係る音響部品の製造方法について説明する。
【００４４】
図７は、本発明の実施の形態における防水フィルターの製造工程断面図である。まず、図７（ａ）に示すように、ＰＥＴ製の剥離シート３１を準備し、この剥離シート３１の上に、開口部１ａを有する接着層１を形成する。
【００４５】
次に、図７（ｂ）に示すように、接着層１の上から多孔質ポリテトラフルオロエチレン（以下、「多孔質ＰＴＦＥ」と記載する）製の防水膜２を貼り合わせる。
【００４６】
次に、図７（ｃ）に示すように、この防水膜２にダイカットロール（刃物）３２により、防水膜２の所定の箇所を裁断し、防水膜２を例えば円形形状に成形する。もちろん、防水膜２の形状は、防水膜２等が貼付される電気音響変換装置の形状に応じて決められるものであるので、円形の形状には限定されない。
【００４７】
そして、図７（ｄ）に示すように、防水膜２の外側に位置する防水膜２の不要部２ｘを取り除くことにより、接着層１の外周部が防水膜２の外周部よりも内側となる構成とすることができる。
【００４８】
なお、上記した方法の他、接着層１よりも大きく形成した防水膜２を予め準備し、この防水膜２で接着層１を覆う方法でも同じ目的を達成することができる。
【００４９】
以上のように作製される防水フィルターを筐体１１に貼付することにより、本発明の実施の形態に係る音響部品が完成する。
【００５０】
次に、上述した本発明の実施の形態における音響部品の基本的構成要素である接着層１及び防水膜２、音響部品の製造工程において用いる剥離シート３１、好ましくは用いられる枠体４について、より詳しく説明する。
【００５１】
接着層１は、枠状に形成されるものであるが、枠の形状は特に限定されず、円状、楕円状、矩形状、多角形状のものであってもよい。枠状パターンを持った接着層１を形成する方法としては、例えば、スクリーン印刷による方法や、接着剤の融液をグラビアパターンロールで剥離シート３１に転写する方法、或いは、予め枠状に裁断した両面粘着テープを接着層１として使用する方法等がある。両面粘着テープには、不織布芯材両面粘着テープ、ＰＥＴ芯材両面粘着テープ、発泡体芯材両面粘着テープ、基材レス両面粘着テープなど様々なタイプのものを用いることができる。なお、ここでは、「基材レスタイプの両面粘着テープ」は、補強などを目的とした基材（芯材）を含まない両面粘着テープを意味するものとして用いている。
【００５２】
なお、本発明において接着剤とは、物と物を貼り合わせるのに用いる物質一般を指すものであり、粘着剤と呼ばれるものを含むものとする。
【００５３】
防水膜２の微視的形状としては、ネット状、メッシュ状、多孔質のものを用いることができる。防水膜２の構成材料としては、ポリエチレン、ポリプロピレン、ポリスチレン、ポリイミド等を使用することができるが、好ましくは防水性に優れたフッ素樹脂、更に好ましくは多孔質ポリテトラフルオロエチレン（多孔質ＰＴＦＥ）のフィルムを用いることが推奨される。多孔質ＰＴＦＥフィルムは、防水性に優れる他、多孔質構造で質量が小さいため、音声を通過させる用途に適している。
【００５４】
多孔質ＰＴＦＥフィルムは、ＰＴＦＥのファインパウダーを成形助剤と混合することにより得られるペーストの成形体から、成形助剤を除去した後、高温高速度で延伸、さらに必要に応じて焼成することにより得られるものである。一軸延伸の場合、ノード（折り畳み結晶）が延伸方向に直角に細い島状となっていて、このノード間を繋ぐようにすだれ状にフィブリル（折り畳み結晶が延伸により解けて引出された直鎖状の分子束）が延伸方向に配向している。そして、フィブリル間、又はフィブリルとノードとで画される空間が空孔となった繊維質構造となっている。また、二軸延伸の場合には、フィブリルが放射状に広がり、フィブリルを繋ぐノードが島状に点在して、フィブリルとノードとで画された空間が多数存在するクモの巣状の繊維質構造となっている。
【００５５】
防水膜２は、１軸延伸多孔質ＰＴＦＥフィルムであってもよいし、２軸延伸多孔質ＰＴＦＥフィルムであってもよいが、好ましくは２軸延伸多孔質ＰＴＦＥフィルムである。
【００５６】
剥離シート３１に用いる材料としてＰＥＴ以外に選択し得るものは、例えば、ポリブチレンテレフタレート等のポリエステル、ポリプロピレン、ポリエチレン、ポリメチルペンテン等のポリオレフィン、ポリカーボネート等の樹脂フィルム、グラシン紙、上質紙、コート紙、含浸紙、合成紙などの紙、アルミニウム、ステンレススチール等の金属箔などが挙げられる。
【００５７】
剥離シート３１の厚さは、例えば、１０〜１００μｍ、好ましくは２５〜５０μｍとすることが望ましい。粘着剤との剥離性を向上させるため、剥離シート３１の基材の表面に離型剤を形成するか、或いは、基材表面にコロナ放電処理、プラズマ処理、フレームプラズマ処理などを施してもよく、プライマー層などを設けてもよい。プライマー層としては、ポリエチレン、ポリプロピレン、スチレン系共重合体、ポリエステル、ポリウレタン、ポリビニルアルコール、ポリエチレンイミン、ポリアクリレート、ポリメタクリレート、これらの変性物などの高分子材料（所謂アンカーコート剤）を使用することが出来る。
【００５８】
防水膜２は、その細孔内表面に撥液性ポリマーを被覆させて用いるのが好ましい。なお、特許請求の範囲及び本明細書において「撥液剤」とは、液体をはじく性質乃至は機能を有する物質を指すものであるとし、「撥液剤」には、「撥水剤」、「撥油剤」、「撥水撥油剤」等を含むものとする。以下、撥水撥油性ポリマーを例に挙げて説明する。
【００５９】
防水膜２の細孔内表面を撥水撥油性ポリマーで被覆しておくことによって、体脂や機械油、飲料、洗濯洗剤などの様々な汚染物が、防水膜の細孔内に浸透若しくは保持されるのを抑制できる。これらの汚染物質は、多孔質ＰＴＦＥの疎水性を低下させて、防水性を損なわせる原因となるからである。
【００６０】
撥水撥油性ポリマーとしては、含フッ素側鎖を有するポリマーを用いることができる。撥水撥油性ポリマーおよびそれを多孔質ＰＴＦＥフィルムに複合化する方法の詳細についてはＷＯ９４／２２９２８号公報などに開示されており、その一例を下記に示す。
撥水撥油性ポリマーとしては、下記一般式（１）
【００６１】
【化１】
2010004397.tif 000003
【００６２】
（式中、ｎは３〜１３の整数、Ｒは水素またはメチル基である）
で表されるフルオロアルキルアクリレートおよび／またはフルオロアルキルメタクリレートを重合して得られる含フッ素側鎖を有するポリマー（フッ素化アルキル部分は４〜１６の炭素原子を有することが好ましい）を好ましく用いることができる。このポリマーを用いて上記多孔質ＰＴＦＥフィルムの細孔内を被覆するには、このポリマーの水性マイクロエマルジョン（平均粒径０．０１〜０．５μｍ）を含フッ素界面活性剤（例、アンモニウムパーフルオロオクタネート）を用いて作製し、これを多孔質ＰＴＦＥフィルムの細孔内に含浸させた後、加熱する。この加熱によって、水と含フッ素界面活性剤が除去されるとともに、含フッ素側鎖を有するポリマーが溶融して多孔質ＰＴＦＥフィルムの細孔内表面を連続気孔が維持された状態で被覆し、撥水性・撥油性の優れた防水膜２が得られる。
【００６３】
また、その他の撥水撥油性ポリマーとして、「ＡＦポリマー」（デュポン社の商品名）や、「サイトップ」（旭硝子社の商品名）なども使用できる。これらのポリマーを防水膜２の細孔内表面に被覆するには、例えば「フロリナート」（住友スリーエム社の商品名）などの不活性溶剤に前記ポリマーを溶解させ、多孔質ＰＴＦＥフィルムに含浸させた後、溶剤を蒸発除去すればよい。
【００６４】
枠体４を構成する材料としては、ウレタンフォーム、シリコーンフォーム、アクリルフォーム、ポリエチレンフォーム等の発泡体基材、その他、ＰＥＴ基材、シリコーン基材、ナイロン基材のものを使用することができる。枠体４の片面又は両面に粘着剤を設けたものが好ましく使用され、これらは市販品（例えば、株式会社ロジャースイノアック社製、商品名：Ｐｏｒｏｎ）として入手することができる。
【実施例】
【００６５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００６６】
（試作例１）
［防水膜の作製］
乳化重合により得られたポリテトラフルオロエチレンの粉末（ファインパウダー）１００重量部に、ソルベントナフサ２２重量部を混合してなるペースト樹脂をフィルム状にし、このフィルム状のペースト成形体をソルベントナフサの沸点以上に加熱してソルベントナフサを蒸発除去した後、ポリテトラフルオロエチレンの融点以下の温度で毎秒１０％以上の速度で二軸延伸して、厚さ３０μｍ、大きさ内径１０ｍｍ×外径１８ｍｍ、空孔率８５％の多孔質ＰＴＦＥフィルムを作製し、これを防水膜２とした。
【００６７】
［防水フィルターの構成］
図８に示すように、接着層１、防水膜２、接着層３、及び、枠体４をこの順で積層した。接着層１には、ＰＥＴフィルム基材の両面にアクリル系粘着剤を塗布した両面粘着テープ（住友スリーエム社製、品番：４３９３、以降「両面粘着テープα」と記載する）で、厚さ：０．２ｍｍのもの、接着層２Ｂには、同じくＰＥＴフィルム基材の両面にアクリル系粘着剤を塗布した両面粘着テープ（住友スリーエム社製、品番：ＳＴ−４１６Ｐ、以降「両面粘着テープβ」と記載する）で、厚さ：０．１２５ｍｍのもの、そして、枠体４として、厚さ２５０μｍのＰＥＴフィルムを用いた。枠体４は、電気音響変換装置との間のスペーサーとして使用するものである。
【００６８】
（試作例２）
図９に示すように、接着層１、防水膜２、接着層３、及び、セパレータ７をこの順で積層した。防水膜２には、試作例１と同じ多孔質ＰＴＦＥフィルムを用いた。接着層１には、両面粘着テープαで、厚さ：０．２０ｍｍのもの、接着層３には、両面粘着テープβで、厚さ：０．１２５ｍｍのもの、そして、セパレータ７として、厚さ０．０７５ｍｍのＰＥＴフィルムを用いた。セパレータ７は、電気音響変換装置を防水膜２に装着する際に剥がすものである。また、セパレータ７が接着層３よりも大きくなるように形成しているので、セパレータ７の端部を掴んで剥がし易い構造となっている。
【００６９】
（試作例３）
図８に示すように、接着層１、防水膜２、接着層３、及び、枠体４をこの順で積層した。防水膜２には、試作例１と同じ多孔質ＰＴＦＥフィルムを用いた。接着層１には、アクリルフォーム基材の両面にアクリル系粘着剤を塗布した両面粘着テープ（住友スリーエム社製、品番：ＶＨＢ−Ｙ４９１４、以降「両面粘着テープγ」と記載する）で、厚さ：０．２５ｍｍのもの、接着層３には、両面粘着テープβで、厚さ：０．１２５ｍｍのものを用いた、そして、枠体４（株式会社ロジャースイノアック社製、商品名：Ｐｏｒｏｎ、品番：ＳＲ−Ｓ４８Ｐ、厚さ０．３０ｍｍ）は、電気音響変換装置との間のスペーサーとして使用される。
【００７０】
（試作例４）
図９に示すように、接着層１、防水膜２、接着層３、及び、セパレータ７をこの順で積層した。防水膜２には、試作例１と同じ多孔質ＰＴＦＥフィルムを用いた。接着層１には、両面粘着テープγで、厚さ：０．２５ｍｍのもの、接着層３には、両面粘着テープβで、厚さ０．１２５ｍｍのものを用いた、そして、セパレータ７として、厚さ０．０７５ｍｍのＰＥＴフィルムを用いた。セパレータ７は、試作例２と同じく、電気音響変換装置を接着する際に剥がすものであり、また、接着層３よりも大きくなるように形成しているので、セパレータ７の端部を掴んで剥がし易い構造となっている。
【００７１】
試作例１〜４に記載した他、接着層１又は接着層３には、厚さ０．００６ｍｍのＰＥＴフィルム基材の両面にアクリル系粘着剤を塗布した両面粘着テープ（大日本インキ化学工業株式会社（現ＤＩＣ株式会社）製、品番：＃８６０６ＴＮ）で、総厚さが０．０３ｍｍのもの、或いは、厚さ０．０５ｍｍのＰＥＴフィルム基材の両面にアクリル系粘着剤を塗布した両面粘着テープ（大日本インキ化学工業社製、品番：＃８６５０Ｓ）で、総厚さが０．１ｍｍのものを使用することもできる。
【図面の簡単な説明】
【００７２】
【図１】図１は、本発明の実施の形態にかかる音響部品の断面図である。
【図２】図２は、本発明の実施の形態にかかる音響部品の断面図である。
【図３】図３は、本発明の実施の形態にかかる音響部品の断面図である。
【図４】図４（ａ）及び（ｂ）は、本発明の実施の形態にかかる音響部品の断面図である。
【図５】図５は、本発明の実施の形態にかかる音響部品の断面図である。
【図６】図６は、本発明の実施の形態にかかる音響部品の断面図である。
【図７】図７（ａ）〜（ｄ）は、本発明の実施例にかかる音響部品の製造工程断面図である。
【図８】図８は、本発明の実施例にかかる音響部品の断面図である。
【図９】図９は、本発明の実施例にかかる音響部品の断面図である。
【図１０】図１０は、従来の音響部品の断面図である。
【図１１】図１１は、従来の音響部品の断面図である。
【符号の説明】
【００７３】
１  接着層
１ａ  開口部
２  防水膜
２ｘ  不要部
３  接着層
４  枠体
５  接着層
７  セパレータ
１１  筐体
１２  通音孔
１３  段差部
２１  筐体
２２  支持体
２３  振動体
３１  剥離シート
３２  ダイカットロール
【図１】
2010004397.tif 000004
【図２】
2010004397.tif 000005
【図３】
2010004397.tif 000006
【図４】
2010004397.tif 000007
【図５】
2010004397.tif 000008
【図６】
2010004397.tif 000009
【図７】
2010004397.tif 000010
【図８】
2010004397.tif 000011
【図９】
2010004397.tif 000012
【図１０】
2010004397.tif 000013
【図１１】
2010004397.tif 000014